(57)【特許請求の範囲】
【請求項１】
ファンモーターとファンと、このファンの周りに配置されたファンケーシングとを備えた床下・天井裏用空気攪拌機において、
前記ファンケーシングを固定用ファンケーシングと移動用ファンケーシングに分割し、
前記移動用ファンケーシングを前記固定用ファンケーシングに対して離間方向及び接近方向に移動させる移動手段を備えると共に、
前記移動手段は、前記移動用ファンケーシングを前記離間方向に移動させて、前記ファンモーターが駆動しているときに吹き出し口を形成すると共に、前記移動用ファンケーシングを接近方向に移動させて、前記ファンモーターが停止しているときに前記吹き出し口を閉じる手段として構成されていること
を特徴とする床下・天井裏用空気攪拌機。
【請求項２】
請求項１記載の床下・天井裏用空気攪拌機において、
前記移動手段は、
移動用モーターと、
該移動用モーターにより駆動されるねじ送り機構とによって構成されていること
を特徴とする床下・天井裏用空気攪拌機。
【請求項３】
請求項２記載の床下・天井裏用空気攪拌機において、
前記移動用モーターは、
タイマー駆動によって、前記移動用ファンケーシングの離間動作及び／又は接近動作を実行させるようにしたこと
を特徴とする床下・天井裏用空気攪拌機。
【請求項４】
請求項１記載の床下・天井裏用空気攪拌機において、
前記移動手段は、
前記移動用ファンケーシングに設けられた傾斜溝と、
同じく前記移動用ファンケーシングに設けられ、前記ファンモーターの回転軸に平行な平行溝と、
前記回転軸に直接的にまたは間接的に取り付けられ、前記回転軸の回転時には遠心力により外側に開き、停止時には元の位置に復帰する遠心力部材と、
該遠心力部材の周りに配置され、該遠心力部材と係合したときに回転する回転部材と、
前記回転部材に設けられ、前記傾斜溝に挿入されている第１のレバー部材と、
前記固定用ファンケーシングに備えられ、前記平行溝に挿入されている第２のレバー部材と、
前記ファンモーターが停止したときに、前記レバー部材を前記ファンモーターの回転方向と逆方向へ付勢する付勢部材と
を備えていることを特徴とする床下・天井裏用空気攪拌機。
【請求項５】
請求項４記載の床下・天井裏用空気攪拌機において、
前記傾斜溝の両端に設けられ、回転軸に対し垂直な垂直溝を備えていること
を特徴とする床下・天井裏用空気攪拌機。
【請求項６】
請求項１記載の床下・天井裏用空気攪拌機において、
前記移動手段は、
前記移動用ファンケーシングに設けられ、前記固定用ファンケーシング側が太く、その反対側が細い円筒と、
前記ファンモーターの回転軸と共に回転する円板上に設けられ、該回転軸の回転時には遠心力により外側に開き、停止時には元の位置に復帰する遠心力部材と、
前記ファンモーターが停止したときに、前記移動用ファンケーシングを固定用ファンケーシングに向かって付勢する付勢部材とを備えていると共に、
前記遠心力部材が前記円筒に収納されていること
を特徴とする床下・天井裏用空気攪拌機。
【発明の詳細な説明】
【０００１】
【発明の属する技術分野】
本発明は、床下や天井裏の空気を攪拌するための空気攪拌機に関するものである。
【０００２】
【従来の技術】
従来、床下や天井裏の空気を攪拌するための空気攪拌機として、シロッコファンやターボファンを内蔵し、空気吹き出し口を備えたものが知られている（特開２００１−３５５５９８）。
【０００３】
【発明が解決しようとする課題】
しかし、従来の空気攪拌機では、吹き出し口に虫やネズミなどの侵入を防ぐための網板が設けられているため、風切り音による騒音が高くなると共に、空気攪拌機の風量が低下してしまうという問題がある。一方、この網板がないと、攪拌停止時に虫や小動物が侵入してしまい、故障の原因になるという問題もある。
【０００４】
そこで、本発明は、空気攪拌機の騒音を低くし、換気能力を向上させることができ、しかも虫や小動物の侵入を防ぐことのできる空気攪拌機を提供することを目的とするものである。
【０００５】
【課題を解決するための手段】
かかる目的を達成するためになされた請求項１記載床下・天井裏用空気攪拌機は、ファンモーターとファンと、このファンの周りに配置されたファンケーシングとを備えた床下・天井裏用空気攪拌機において、前記ファンケーシングを固定用ファンケーシングと移動用ファンケーシングに分割し、前記移動用ファンケーシングを前記固定用ファンケーシングに対して離間方向及び接近方向に移動させる移動手段を備えると共に、前記移動手段は、前記移動用ファンケーシングを前記離間方向に移動させて、前記ファンモーターが駆動しているときに吹き出し口を形成すると共に、前記移動用ファンケーシングを接近方向に移動させて、前記ファンモーターが停止しているときに前記吹き出し口を閉じる手段として構成されていることを特徴とする。
【０００６】
この床下・天井裏用空気攪拌機によれば、ファンモーターが駆動されているときは、移動手段が移動用ファンケーシングを固定用ファンケーシングから離間させ、吹き出し口ができるようにする。またファンモーターが停止しているときは、移動手段が移動用ファンケーシングを固定用ファンケーシングから接近させ、吹き出し口が閉じるようにする。ここで移動用ファンケーシングの離間方向への移動は、ファンモーターの駆動直前或いは駆動と同時或いは駆動直後のいずれにおいて実行してもよい。同様に移動用ファンケーシングの接近方向への移動は、ファンモーターの停止直前或いは停止と同時或いは停止直後のいずれにおいて実行してもよい。
【０００７】
請求項１の床下・天井裏用空気攪拌機によれば、ファンモーターが停止しているときは、吹き出し口が閉じているので、虫や小動物の侵入を防ぐことができ、ゴミや埃などの付着も防ぐことができる。ファンモーターが駆動しているときは、ファンが回転し空気が吹き出しているので、虫や小動物が侵入しない。従って、吹き出し口に網板を設けなくてもよい。これにより、風切り音をなくし、換気能力を向上させることができる。
【０００８】
請求項２記載の床下・天井裏用空気攪拌機は、請求項１記載の床下・天井裏用空気攪拌機において、前記移動手段が、移動用モーターと、該移動用モーターにより駆動されるねじ送り機構とによって構成されていることを特徴とする。
【０００９】
この床下・天井裏用空気攪拌機によれば、ファンモーターを駆動させるときに、移動用モーターを駆動させ、ねじ送り機構を回転させ、移動用ファンケーシングを離間方向へ移動させる。その後、移動用モーターを停止させ移動用ファンケーシングの移動を停止させると、吹き出し口ができる。またファンモーターを停止させるときに、移動用モーターを逆方向に回転するように駆動させ、ねじ送り機構を逆回転させると、移動用ファンケーシングを接近方向へ移動させる。その後移動用モーターを停止させ移動用ファンケーシングの移動を停止させると、吹き出し口が閉じる。
【００１０】
請求項２の床下・天井裏用空気攪拌機によれば、請求項１の効果に加え、移動用ファンケーシングの移動を移動用モーターで行っているので、動作が確実で、移動用ファンケーシングが半開き状態や半閉じ状態にならないという効果もある。
【００１１】
また請求項３記載の床下・天井裏用空気攪拌機は、請求項２記載の床下・天井裏用空気攪拌機において、前記移動用モーターが、タイマー駆動によって、前記移動用ファンケーシングの離間動作及び／又は接近動作を実行させるようにしたことを特徴とする。
【００１２】
この床下・天井裏用空気攪拌機によれば、移動用ファンケーシングを離間方向へ移動させるための移動用モーターの駆動条件として、例えばファンモーターの駆動直前に駆動開始するようにしておき、吹き出し口を形成するのに十分な時間が経過したら停止するように設定するとよい。或いは、ファンモーターの駆動開始直前に移動用モーターを駆動開始するようにしておき、移動用ファンケーシングが所定位置まで移動したことを検出したら停止するようにしてもよい。また、移動用ファンケーシングを接近方向へ移動させるための移動用モーターの駆動条件は、例えばファンモーターの停止直後に駆動開始するようにしておき、吹き出し口が閉じるのに十分な時間が経過したら停止するように設定するとよい。或いは、ファンモーターの停止直後に移動用モーターを駆動開始するようにしておき、移動用ファンケーシングが所定位置まで移動したことを検出したら停止するようにしてもよい。なお、タイマー設定条件は、これらに限らず、ファンモーターの駆動開始時刻と一致させてもよいし、少し遅らせるようにしてもよい。
【００１３】
通常、ファンモーターはタイマー駆動されるので、請求項３の床下・天井裏用空気攪拌機によれば、請求項１および２の効果に加え、ファンモーターの駆動／停止のタイミングに容易に合わせることができるという効果もある。
【００１４】
請求項４記載の床下・天井裏用空気攪拌機は、請求項１記載の床下・天井裏用空気攪拌機において、前記移動手段が、前記移動用ファンケーシングに設けられた傾斜溝と、同じく前記移動用ファンケーシングに設けられ、前記ファンモーターの回転軸に平行な平行溝と、前記回転軸に直接的にまたは間接的に取り付けられ、前記回転軸の回転時には遠心力により外側に開き、停止時には元の位置に復帰する遠心力部材と、該遠心力部材の周りに配置され、該遠心力部材と係合したときに回転する回転部材と、前記回転部材に設けられ、前記傾斜溝に挿入されている第１のレバー部材と、前記固定用ファンケーシングに備えられ、前記平行溝に挿入されている第２のレバー部材と、前記ファンモーターが停止したときに、前記レバー部材を前記ファンモーターの回転方向と逆方向へ付勢する付勢部材とを備えていることを特徴とする。
【００１５】
この床下・天井裏用空気攪拌機によれば、ファンモーターが駆動し回転軸を回転させると、遠心力部材が例えば外側に向かって延び、或いは外側に回動する。この遠心力部材と回転部材が係合すると、回転部材が回転する。これにより、第１のレバー部材が回転し、第２のレバー部材との間隔が変化し、傾斜溝の作用により移動用ファンケーシングが離間方向へ移動し、吹き出し口ができる。またファンモーターを停止させると、遠心力が弱まり、遠心力部材が元の位置に戻る。この遠心力部材が回転部材からはずれると、付勢部材により回転部材が元の位置に戻る。これにより、第１のレバー部材が逆回転し、第２のレバー部材との間隔が変化し、傾斜溝の作用により、移動用ファンケーシングが接近方向へ移動し、吹き出し口が閉じる。
【００１６】
請求項４の床下・天井裏用空気攪拌機によれば、請求項１の効果に加え、ファンモーターを利用して移動用ファンケーシングの開閉を行うことができる。これによりモーター等の高価な部品や、移動用ファンケーシングを開閉動作させるための制御回路等がいらなくなる。また、移動用及び固定用ファンケーシング内に遠心力部材、回転部材、レバー部材および付勢部材が収納されるように設計できるので、空気攪拌機全体がコンパクトであり、床下への搬入及び設置、取り外しが容易である。
【００１７】
請求項５記載の床下・天井裏用空気攪拌機は、請求項４記載の床下・天井裏用空気攪拌機において、前記傾斜溝の両端に設けられ、回転軸に対し垂直な垂直溝が設けられていることを特徴とする。
【００１８】
この床下・天井裏用空気攪拌機によれば、第１のレバー部材は、ファンモーターの駆動前には固定用ファンケーシングと反対側の垂直溝にあり、移動用ファンケーシングが離間方向へ移動中は垂直溝から抜け出し傾斜溝に入り込み、吹き出し口ができると固定用ファンケーシング側の垂直溝に移動する。また、ファンモーターが停止し、移動用ファンケーシングが接近方向へ移動中は、第１のレバー部材が再び傾斜溝に入り込み、吹き出し口が閉じると、固定用ファンケーシングと反対側の垂直溝に移動する。
【００１９】
請求項５の床下・天井裏用空気攪拌機によれば、請求項１記載の床下・天井裏用空気攪拌機において、請求項１および４の効果に加え、吹き出し口の開口および閉口時には、第１のレバー部材が垂直溝にかみ合っているので、移動用ファンケーシングの位置が固定される。これにより、移動用ファンケーシングが半開き状態或いは半閉じ状態にならないという効果もある。
【００２０】
請求項６記載の床下・天井裏用空気攪拌機は、請求項１記載の床下・天井裏用空気攪拌機において、前記移動手段が、前記移動用ファンケーシングに設けられ、前記固定用ファンケーシング側が太く、その反対側が細い円筒と、前記ファンモーターの回転軸と共に回転する円板上に設けられ、該回転軸の回転時には遠心力により外側に開き、停止時には元の位置に復帰する遠心力部材と、前記ファンモーターが停止したときに、前記移動用ファンケーシングを固定用ファンケーシングに向かって付勢する付勢部材とを備えていると共に、前記遠心力部材が前記円筒に収納されていることを特徴とする。
【００２１】
この床下・天井裏用空気攪拌機によれば、ファンモーターが駆動し回転軸軸を回転させると、遠心力により遠心力部材が例えば延びて、或いは回動して外側に広がる。これに伴い、遠心力部材と円筒との接触位置が円筒の細い側から太い側へ変化する。これにより移動用ファンケーシングが離間方向へ移動し、吹き出し口ができる。またファンモーターが停止すると、遠心力が弱まり、遠心力部材が元の位置に戻る。この結果、付勢部材による接近方向へ移動させようとする力が勝り、移動用ファンケーシングが吹き出し口を閉じる。よってファンモーターを利用して移動用ファンケーシングの開閉を行うことができる。
【００２２】
請求項６の床下・天井裏用空気攪拌機によれば、請求項１の効果に加え、ファンモーターを利用して移動用ファンケーシングの開閉を行うことができる。これによりモーター等の高価な部品や、移動用ファンケーシングを開閉動作させるための制御回路等がいらなくなる。
【００２３】
【発明の実施の形態】
以下、本発明の実施の形態について、図面を参照しつつ説明する。第１の実施の形態としての床下・天井裏用空気攪拌機１は、図１、２に示す様に、２つに分割された固定用および移動用ファンケーシング２，３と、床下に取り付けるために固定用ファンケーシング２の上部中央に結合された取付部材４と、移動用ファンケーシング３の底部に形成された多数の円環状の空気取り入れ口５と、固定用および移動用ファンケーシング２，３の間に設けられたファンモーター６と、ファンモーター６の回転軸７に固定され回転するシロッコファン８とを備えている。
【００２４】
第１の実施の形態としての床下・天井裏用空気攪拌機１の移動手段は、図２に示す様に、移動用ファンケーシング３を移動する動作を安定させるためのガイド部材１０と、固定用ファンケーシング２の外周側に設けられた移動用モーター１１と、移動用モーター１１から伸びるスパイラルシャフト１２と、スパイラルシャフト１２と係合し、移動用ファンケーシングに固定されているナット１３とを備えている。
【００２５】
この第１の実施の形態の床下・天井裏用空気攪拌機１によれば、ファンモーター６を駆動する直前に、移動用モーター１１を駆動し、スパイラルシャフト１２を回転させる。この回転により、移動用ファンケーシング３が離間方向へ移動し始める。そしてナット１３がスパイラルシャフト１２の下端に到達したとき、移動用モーター１１が停止し、移動用ファンケーシング３の離間方向への移動が止まり、吹き出し口９ができる。またファンモーター６を停止させた直後に、移動用モーター１１を駆動し、スパイラルシャフト１２を逆回転させる。この逆回転により、移動用ファンケーシング３が接近方向へ移動し始める。そして移動用モーター１１が停止し、固定用および移動用ファンケーシング２，３が接したとき、吹き出し口９が閉じる。以上の動作は、タイマー回路を設け、ファンモーター６のタイマー動作と、移動用ファンケーシング３の開閉動作とを連動させるようにして実行させる。
【００２６】
この結果、第１の実施の形態の床下・天井裏用空気攪拌機１によれば、吹き出し口９に従来の攪拌機に設けられていたような網板をなくすことができるので、騒音を低くし、換気能力を向上させることができる。この様に網板をなくしても、攪拌停止時には、吹き出し口９が閉じているので、虫や小動物の侵入を防ぐことができ、ゴミや埃などの付着も防ぐことができる。なお、移動用モータ１１を利用しているので、開閉動作が確実である。
【００２７】
次に第２の実施の形態について、図面を参照しつつ説明する。第２の実施の形態としての床下・天井裏用空気攪拌機２０は、図３、図４に示す様に、２つに分割された固定用および移動用ファンケーシング２１，２２と、移動用ファンケーシングのサイド面に開口された垂直溝２３および傾斜溝２４と、床下に取り付けるために固定用ファンケーシング２１の上部中央に結合された取付部材２５と、固定用および移動用ファンケーシング２１，２２の間に設けられたファンモーター２６と、ファンモーター２６の回転軸２７に固定され回転するシロッコファン２８とを備えている。また傾斜溝２４の両端には、水平溝２４ａ、２４ｂが設けられている。なお、移動用ファンケーシング２２の底部には、多数の円環状の空気取り入れ口が形成されている。
【００２８】
また、床下・天井裏用空気攪拌機２０は、移動手段として、遠心力部材と、回転部材と、第１のレバー部材と、支持部材と、第２のレバー部材と、付勢部材とを備えている。この遠心力部材は、回転軸２７に一端が固定され回転軸２７の回転により外側に向かって延びる遠心力レバー４１と、遠心力レバー４１の伸縮点に設けられたリターンスプリング４２と、遠心力レバー４１の先端に取り付けられているベアリング４３とからなる。回転部材は、遠心力レバー４１が延びたときに係合し一体となって回転するものであって、レバー円板４４と、リング枠４５とからなる。第１のレバー部材は、移動用ファンケーシング２２のサイド面にある傾斜溝２４とかみ合う開閉用ケースレバー４６で構成されている。支持部材は、固定用ファンケーシング２１からつり下げられている支柱５１と、支柱５１に設けられた円板上のアンダーフレーム５２と、アンダーフレーム５２に設けられレバー円板４４を回転できるように支える金具５３とからなる。第２のレバー部材は、支柱５１に設けられ、移動用ファンケーシング２２のサイド面にある平行溝２３とかみ合うガイド用ケースレバー５２で構成されている。付勢部材は、アンダーフレーム５２と開閉用ケースレバー４６をつなぐリターンスプリング５５で構成されている。
【００２９】
この第２の実施の形態の床下・天井裏用空気攪拌機２０によれば、ファンモーター２６を駆動し回転軸２７を回転させると、遠心力レバー４１が外側に向かって延びる。そして遠心力レバー４１とリング枠４５が係合すると、レバー円板４４が回転する。この回転により、開閉用ケースレバー４６がガイド用ケースレバー５４に近付く。この結果、開閉用ケースレバー４６が水平溝２４ａを抜けだし、傾斜溝２４に入り込んだ後は、移動用ファンケーシング２２が離間方向へ移動し始める。これにより空気吹き出し口２９ができる。最終的には、開閉用ケースレバー４６は、水平溝２４ｂの端まで移動する。また、ファンモーター２６の駆動を停止させると、遠心力が弱まり、リターンスプリング４２によって遠心力レバー４１が元の位置に戻る。そして遠心力レバー４１がリング枠４５からはずれるので、レバー円板４４はリターンスプリング５５により元の位置に戻される。これにより、開閉用ケースレバー４６がガイド用ケースレバー５４から離れる方向に移動する。この結果、開閉用ケースレバー４６が水平溝２４ｂを抜けだし、傾斜溝２４に入り込んだ後は、移動用ファンケーシングが接近方向へ移動し始める。これにより空気吹き出し口２９が閉じる。このときも、開閉用ケースレバー４６は、水平溝２４ａの端まで移動する。
【００３０】
この結果、第２の実施の形態の床下・天井裏用空気攪拌機２０によれば、吹き出し口２９に従来の攪拌機に設けられているような網板をなくすことができるので、騒音を低くし、換気能力を向上させることができる。この様に網板をなくしても、攪拌停止時には吹き出し口２９が閉じているので、虫や小動物の侵入を防ぐことができ、ゴミや埃などが付着するのも防ぐことができる。そして、固定用および移動用ファンケーシング２１，２２内に取付金具２５以外の部品が収納されるので、攪拌機全体がコンパクトであり、床下への搬入及び設置、取り外しが容易である。更に、ファンモーター２６を利用して移動用ファンケーシング２２の開閉を行うことができるので、第１の実施の形態のような移動用モーターや開閉動作のためのタイマー回路を必要としない。またベアリング４３があるために、移動用ファンケーシング２２が開ききった後の遠心力レバー４１とリング枠４５との間の摩擦が小さくなる。更に、傾斜溝２４の両端には、水平溝２４ａ、２４ｂがあり、開口および閉口時は開閉用ケースレバー４６がこの水平溝２４ａ、２４ｂにかみ合うので、移動用ファンケーシング２２が固定されて安定する。なお水平溝２４ａ、２４ｂが、本発明における垂直溝に相当する。また、垂直溝２３が、本発明における平行溝に相当する。
【００３１】
次に第３の実施の形態について、図面を参照しつつ説明する。第３の実施の形態としての床下・天井裏用空気攪拌機６０は、図５、図６に示す様に、２つに分割された固定用および移動用ファンケーシング６１，６２と、床下に取り付けるために固定用ファンケーシング６１の上部中央に結合された取付部材６３と、固定用および移動用ファンケーシング６１、６２の間に設けられたファンモーター６４と、ファンモーター６４の回転軸６５に固定され回転するシロッコファン６６とを備えている。なお、移動用ファンケーシング６２の底部には、多数の円環状の空気取り入れ口が形成されている。
【００３２】
また、床下・天井裏用空気攪拌機６０は、移動手段として、移動用ファンケーシング６２中央に位置し、その内部から外部に向かって設けられた円筒７０と、遠心力部材と付勢部材とを備えている。遠心力部材は、円筒７０内に格納され回転軸６５の下方に固定され、回転軸６５と共に回転する円板７１と、この円板７１上に設けられアーム軸７２を中心に回動するアームレバー７３と、アームレバー７３の先端に位置するベアリング７４と、アームレバー７３から円筒７０に向かって設けられたリターンスプリング７５とからなる。付勢部材は、固定用ファンケーシング６１から移動用ファンケーシング６２を吊り支えるリターンスプリング７６によって構成されている。また円筒７０は、固定用ファンケーシング６１側がその反対側よりも太いように構成されている。
【００３３】
この第３の実施の形態の床下・天井裏用空気攪拌機６０によれば、ファンモーター６４を駆動し回転軸６５を回転させると、遠心力によりアームレバー７３がアーム軸７２を中心に外側に広がる。この広がりに伴い、ベアリング７４と円筒７０との接触位置が変化し、円筒７０が下方に移動する。これにより移動用ファンケーシング６２が離間方向へ移動し、空気吹き出し口６７ができる。またファンモーター６４の駆動を停止させると、遠心力が弱まり、リターンスプリング７５によってアームレバー７３が元の位置に戻ろうとする。この戻りに伴い、リターンスプリング７６の付勢力が勝り、円筒７０が上方に移動する。これにより、移動用ファンケーシング６２が接近方向へ移動し、空気吹き出し口６７が閉じる。
【００３４】
この結果、第３の実施の形態の床下・天井裏用空気攪拌機１によれば、吹き出し口６７に従来攪拌機に設けられていたような網板をなくすことができるので、騒音を低くし、換気能力を向上させることができる。この様に網板をなくしても、攪拌停止時には吹き出し口６７が閉じているので、虫や小動物の侵入を防ぐことができ、ゴミや埃などが付着するのも防ぐことができる。また、ファンモーター６４を利用して移動用ファンケーシング６２の開閉を行うことができるので、移動用モーターや開閉動作のためのタイマー回路を必要としない。
【００３５】
以上、本発明の実施の形態について説明したが、本発明は上述した実施の形態に限られることなく、その要旨を逸脱しない範囲内において、さらに種々の態様にて実施することができる。
【００３６】
例えば、実施の形態では、シロッコファンを設けた構成としたが、ターボファンやプロペラファンを設けた構成としてもよい。
【００３７】
例えば、実施の形態では、移動手段はモーターや遠心力部材を利用した構成としたが、ソレノイド、シリンダー、ワイヤー、形状記憶合金を利用した構成としてもよい。
【００３８】
例えば、シロッコファンの代わりにターボファンを設けた場合、固定用ファンケーシングと移動用ファンケーシングとをリターンスプリングでつないでおき、ファンケーシングの開口動作をファンの風圧で行うといった構成を採用することも可能となる。
【００３９】
【発明の効果】
以上説明した様に、本発明によれば、空気攪拌機の騒音を低くし、換気能力を向上させることができ、しかも虫や小動物の侵入を防ぐことのできる空気攪拌機を提供することができる。
【図面の簡単な説明】
【図１】  第１の実施の形態としての床下・天井裏用空気攪拌機の構造を示す斜視図である。
【図２】  第１の実施の形態としての床下・天井裏用空気攪拌機の吹き出し口を開いたときの、（Ａ）は断面図、（Ｂ）は底面図である。
【図３】  第２の実施の形態としての床下・天井裏用空気攪拌機の吹き出し口を閉じたときの（Ａ）は断面図、（Ｂ）は遠心力部材と回転部材の部分を示す底面図である。
【図４】  第２の実施の形態としての床下・天井裏用空気攪拌機を示し、（Ａ）は吹き出し口を開いたときの側面図、（Ｂ）は吹き出し口を閉じたときの側面図である。
【図５】  第３の実施の形態としての床下・天井裏用空気攪拌機を示し、（Ａ）は吹き出し口を開いたときの断面図、（Ｂ）は円筒内の様子を示す平面図である。
【図６】  第３の実施の形態としての床下・天井裏用空気攪拌機の吹き出し口を閉じたときの断面図である。
【符号の説明】
１・・・床下・天井裏用空気攪拌機、２・・・固定用ファンケーシング、３・・・移動用ファンケーシング、４・・・取付部材、５・・・空気取り入れ口、６・・・ファンモーター、７・・・回転軸、８・・・シロッコファン、９・・・吹き出し口、１０・・・ガイド部材、１１・・・移動用モーター、１２・・・スパイラルシャフト、１３・・・ナット、２０・・・床下・天井裏用空気攪拌機、２１・・・固定用ファンケーシング、２２・・・移動用ファンケーシング、２３・・・垂直溝、２４・・・傾斜溝、２４ａ・・・水平溝、２４ｂ・・・水平溝、２５・・・取付部材、２６・・・ファンモーター、２７・・・回転軸、２８・・・シロッコファン、２９・・・吹き出し口、４１・・・遠心力レバー、４２・・・リターンスプリング、４３・・・ベアリング、４４・・・レバー円板、４５・・・リング枠、４６・・・開閉用ケースレバー、５１・・・支柱、５２・・・アンダーフレーム、５３・・・金具、５４・・・ガイド用ケースレバー、５５・・・リターンスプリング、６０・・・床下・天井裏用空気攪拌機、６１・・・固定用ファンケーシング、６２・・・移動用ファンケーシング、６３・・・取付部材、６４・・・ファンモーター、６５・・・回転軸、６６・・・シロッコファン、６７・・・吹き出し口、７０・・・円筒、７１・・・円板、７２・・・アーム軸、７３・・・アームレバー、７４・・・ベアリング、７５・・・リターンスプリング、７６・・・リターンスプリング。
【図１】
0004212828.tif 000002
【図２】
0004212828.tif 000003
【図３】
0004212828.tif 000004
【図４】
0004212828.tif 000005
【図５】
0004212828.tif 000006
【図６】
0004212828.tif 000007